(57)【特許請求の範囲】
【請求項１】
回転自在に支持された設定ダイアルと、この設定ダイアルの回転にしたがって設定ダイアルの軸線方向に変位する変位部材と、前記変位にともなって変位するとともに周囲の温度によって膨張または収縮する感温膨張部材と、この感温膨張部材の膨張によって作動するスイッチ手段とからなるユニットを備えた空気調和用の温度調節器において、前記ユニットを前記設定ダイヤルの軸線方向と直交する方向に複数個並設し、これら隣接するユニットの設定ダイアル間を各設定ダイアルに端部を枢着した連結部材によって連結するとともに、この連結部材は前記各設定ダイヤルの設定値が所定の差を形成して異ならせる長さを有することを特徴とする空気調和用の温度調節器。
【請求項２】
請求項１記載の空気調和用の温度調節器において、前記連結部材を伸縮自在かつ所望の長さで固定可能とし、この連結部材によって連結された隣接する設定ダイアル相互の設定値の差を表示する表示部を設けたことを特徴とする空気調和用の温度調節器。
【発明の詳細な説明】
【０００１】
【発明の属する技術分野】
本発明は、冷暖房等の温度設定を行う空気調和用の温度調節器に関する。
【０００２】
【従来の技術】
この種の空気調和用の温度調節器としては、特開昭５２−１１３５３９号公報に開示されたものがある。ここに開示されたものは、ベース上に回転自在に支持された設定ダイアルと、この設定ダイアルの回動にしたがって上下方向に移動する支軸と、この支軸の移動にしたがって上下動するデュアルダイアフラムと、このダイアフラムの下方に設けられたスイッチとから構成されている。デュアルダイアフラム内には、周囲の温度によって膨張・収縮する、いわゆる感温膨張物質が密封されており、スイッチと支軸の底部との位置関係と、設定ダイアルによって設定する温度設定値とが調整されている。したがって、設定ダイアルを回動操作して温度設定値を設定することにより、支軸の底部を介してデュアルダイアフラムが上下に変位し、室温が設定した温度に達すると、デュアルダイアフラムが膨張してスイッチを作動させている。
【０００３】
【発明が解決しようとする課題】
上述した従来の空気調和用の温度調節器においては、設定する温度が１個だけであるために、冷房機能と暖房機能を併せもつ空気調和機をこの温度調節器で制御する場合には、冷房の設定値と暖房の設定値とが同一の設定値となる。このため、設定値よりもわずかでも高くなると冷房運転が行われ、設定値よりもわずかでも低くなると暖房運転が行われてしまい、いわゆる過冷・過熱によってエネルギーを浪費する原因となるだけでなく、快適な環境も得られなかった。これを解消するために、冷房設定用の温度調節器と暖房設定用の温度調節器との２つの温度調節器を用い、これら２つの温度調節器によって冷房用の設定値と暖房用の設定値とを個々に設定し、これら２つの設定値間に冷房運転および暖房運転が行われない温度帯、いわゆるゼロエナジーバンドと呼ばれる不感帯を設ける方法も提案された。しかしながら、この方法では、２つの設定値を設定するのに、２つの温度調節器をそれぞれ個別に操作しなけらばならないので、操作が煩雑になるというだけでなく、設定者によって２つの設定値間の温度差にばらつきを生じさせてしまうおそれがあり、ゼロエナジーバンドの幅が一定にならないという問題があった。また、一方の温度調節器の設定を忘れるおそれもあり、必ずしもエネルギーの浪費を抑制できなかったり、快適な環境も得られなかった。
【０００４】
本発明は上記した従来の問題に鑑みなされたものであり、その目的とするところは、最適なゼロエナジーバンドが確実に設定され、エネルギーの浪費を規制するだけでなく、快適な環境も提供できる空気調和用の温度調節器を得ることにある。
【０００５】
【課題を解決するための手段】
この目的を達成するために、請求項１に係る発明は、回転自在に支持された設定ダイアルと、この設定ダイアルの回転にしたがって設定ダイアルの軸線方向に変位する変位部材と、前記変位にともなって変位するとともに周囲の温度によって膨張または収縮する感温膨張部材と、この感温膨張部材の膨張によって作動するスイッチ手段とからなるユニットを備えた空気調和用の温度調節器において、前記ユニットを前記設定ダイヤルの軸線方向と直交する方向に複数個並設し、これら隣接するユニットの設定ダイアル間を各設定ダイアルに端部を枢着した連結部材によって連結するとともに、この連結部材は前記各設定ダイヤルの設定値が所定の差を形成して異ならせる長さを有することを特徴としたものである。
したがって、一つのユニットの設定値を設定すると、連結部材を介して他のユニットの設定値が設定される。
【０００６】
また、請求項２に係る発明は、請求項１に係る発明において、前記連結部材を伸縮自在かつ所望の長さで固定可能とし、この連結部材によって連結された隣接する設定ダイアル相互の設定値の差を表示する表示部を設けたものである。
したがって、表示部を参照しながら、連結部材の伸縮長さを選択することにより、ゼロエナジーバンドの幅が任意に選択できる。
【０００７】
【発明の実施の形態】
以下、本発明の実施の形態を図を用いて説明する。図１（ａ）は本発明に係る空気調和用の温度調節器の設定ダイアル部の平面図、同図（ｂ）は同じく一部を破断して示す正面図である。図２は同じく要部を分解して示す斜視図である。図３（ａ）は本発明に係る空気調和用の温度調節器のスイッチ部の概略を示す斜視図、同図（ｂ）は他のスイッチ手段の回路図である。図４は本発明に係る空気調和用の温度調節器によってゼロエナジーバンドの制御を行う状態を説明するための構成図である。図５はゼロエナジーバンドを形成する設定値の両側の温度における弁の開度を示す図である。
【０００８】
先ず、図１ないし図３を用いて本発明に係る空気調和用の温度調節器の設定ダイアル部を説明する。
全体を符号１で示すものは、本発明に係る空気調和用の温度調節器であって、主設定側ユニット２Ａと、この主設定側ユニット２Ａに並設され、この主設定側ユニット２Ａ側の設定値を設定することにより、自動的に設定値が設定される従設定側ユニット２Ｂとによって構成されている。これら主設定側ユニット２Ａと従設定側ユニット２Ｂを、それぞれ構成する設定ダイアル５Ａ，５Ｂと、デュアルダイアフラム２０およびスイッチ手段３１は、同一の部品によって構成されているので、ここでは、主設定側ユニット２Ａ側についてのみ説明する。
【０００９】
図２に示すように、設定ダイアル５Ａは略円板状に形成され、中央部に軸孔６Ａが設けられており、表面の一部には円筒状の支持部７Ａが立設され、この支持部７Ａの近傍の表面には、指針線８Ａが表記されている。また、この設定ダイアル５Ａの周縁部には、円周方向に向かって厚みが漸次変化するように形成された円弧状のカム面９Ａが形成されている。
【００１０】
このように形成された設定ダイアル５Ａは、ベースに植設した支持軸（いずれも図示せず）に軸孔６Ａを係入することにより、支持軸を介してベースに回転自在に支持される。設定ダイアル５Ａを回転自在に支持するベースの表面には、設定ダイアル５Ａの指針線８Ａに対応するように温度が表記された表示部としての目盛部１０Ａが設けられている。
【００１１】
次に、図３（ａ）を用いて本発明に係る空気調和用の温度調節器のスイッチ部を説明する。
２０はデュアルダイアフラムであって、薄板をシンバル状に形成した金属部材を２枚張り合わせることにより形成され、頂部に設けた支持部２１を介してベースに固定され、下端中央部には押下部２２が突設されている。このデュアルダイアフラム２０内には、外部の温度が高くなると膨張する液体が密閉状態で収納されており、このデュアルダイアフラム２０は周囲の温度に応じて膨張または収縮し、図中上下方向の寸法が変化する、いわゆる感温膨張部材を構成している。２４は可動レバーであって、一端部に下方に向かって突設した接触子２５が設定ダイアル５Ａまたは設定ダイアル５Ｂのカム面９Ａ，９Ｂに当接するとともに、略中央部がデュアルダイアフラム２０の押下部２２によって押し下げられ、かつ他端部がプランジャー２９によって上方に押し上げられている。
【００１２】
この可動レバー２４の一端側の両側部には一対の腕部２６，２６が突設され、これら腕部２６，２６がベース側に設けた上下方向に延在するスリット状の一対の対向するガイド溝２７，２７に案内されることにより、この可動レバー２４は図中上下方向に移動自在に支持されている。３０は圧縮コイルばねであって、下端がベースに当接し、プランジャー２９を上方に付勢している。３１はスイッチ手段であって、共通端子３２と冷房出力端子３３と暖房出力端子３４とからなるスイッチ部３５は冷房出力端子３３および暖房出力端子３４のいずれか一方に選択的に接続するものである、このスイッチ部３５がプランジャー２９によって押し下げられることにより、冷房出力端子３３がＯＮになり、スイッチ部３５がプランジャー２９による押下を解放されると暖房出力端子３４がＯＮする。すなわち、ユニット２Ａに冷房機器を制御させようとする場合には、冷房出力端子３３および共通端子３２に冷房機器を接続して冷房制御信号を与える。また、ユニット２Ａに暖房機器を制御させようとする場合には、暖房出力端子３４と共通端子３２に暖房機器を接続して暖房制御信号を与える。
【００１３】
次に、このような構成の主設定側ユニット２Ａにおいて、設定ダイアル５Ａの回動操作による温度設定値と、デュアルダイアフラム２０の膨張収縮によるスイッチ手段３１の切替え動作との関係について説明する。なお、以下の説明では主設定側ユニット２Ａを用いて冷房機器を制御する例を示す。すなわち、共通端子３２及び冷房出力端子３３から制御信号が冷房機器に与えられる。
【００１４】
図３において、現在の室温が設定値以下の状態にあり、デュアルダイアフラム２０の押下部２２とその直下の可動レバー上の位置Ｂ点とは離間した状態にあるものとする。スイッチ部３５は暖房出力接点３４側に接しており、冷房出力接点３３はＯＦＦになっているので、これに接続された冷房機器は冷房運転を停止している。室内の熱負荷によって室温が徐々に上昇し、それに応じてデュアルダイアフラム２０が膨張してゆくと、やがてデュアルダイアフラム２０の押下部２２が可動レバー２４上の位置Ｂ点と当接し、さらに可動レバー２４に対して下方への押し下げ力を与える。
【００１５】
そのため、可動レバー２４と位置Ｃ点で当接しているプランジャー２９を介してスイッチ部３５および圧縮ばね３０に押し下げ力が作用する。この押し下げ力が所定の大きさになるとスイッチ部３５に設けられたスナップアクション機構（図示せず）が働いて、スイッチ部３５を瞬間的に回動させ冷房出力端子３３へ接続する。これにより冷房制御信号がＯＮになり、冷房機器が冷房運転を開始する。そして、冷房運転により室温が設定温度よりも低下すると、デュアルダイアフラム２０が収縮し、圧縮ばね３０の反発力がプランジャー２９を押し上げ、スナップアクション機構が作用してスイッチ部３５を暖房出力端子３４側に接続して、再び冷房出力がＯＦＦになる。
【００１６】
ここで冷房設定温度を低下させるべく、図１および図３において設定ダイアル５Ａを図中矢印Ｄ方向に回動操作すると、可動レバー２４の接触子２５がカム面９Ａに沿って上昇するので、接触子２５のカム面９Ａに当接する位置Ａ点が上方に変位する。可動レバー２４は、プランジャー２９によって位置Ｃ点を支えられているので、位置Ａ点の上方への変位に伴って位置Ｂ点も上方へ変位する。そのため、デュアルダイアフラム２０の押下部２２と位置Ｂ点との間の距離が小さくなる。したがって、室温のわずかな上昇に連れてデュアルダイアフラム２０がわずかに膨張しただけで、デュアルダイアフラム２０の押下部２２が可動レバー２４と接触するようになるので、設定ダイアル５Ａを矢印Ｄ方向に回動操作する以前に比べて低い温度でスイッチ部３５が冷房出力端子３３側に接続されるようになる。
【００１７】
次に、図３（ｂ）に示す他のスイッチ手段３６について説明する。
上述したスイッチ手段３１では、スイッチ部３５の押下と押下の解放によって、冷房出力端子３３のＯＮと暖房出力端子３４のＯＮとに切り替える２位置スイッチとしたが、このスイッチ手段３６は比例制御用スイッチとしたものである。すなわち、３７は比例出力端子、３８は逆動作の反比例出力端子であって、これら両端子３７，３８間に可変抵抗器３９を設けることにより、プランジャー２９の上下動により、両端子３７，３８からの出力が変化する。
【００１８】
次に、図１および図２を用いて、本発明の特徴とするところの、主設定側ユニット２Ａの設定ダイアル５Ａを回動操作することによって、従設定側ユニット２Ｂの設定ダイアル５Ｂも追従して回動する点と、各設定ダイアル５Ａ，５Ｂによる設定値が異なって設定される点について説明する。
【００１９】
図２において、１２，１２は小径の円筒状に形成されたねじ筒であって、内周面にねじ部が設けられ、このねじ筒１２，１２は、設定ダイアル５Ａの支持部７Ａおよび設定ダイアル５Ｂの支持部７Ｂの内周部にそれぞれ嵌合固定される。１３は有底円筒状に形成された抜け止め部材であって、底部にねじ１５が挿通される挿通孔１４が設けられ、この抜け止め部材１３の内径は、支持部７Ａの外径よりもわずかに大きく形成されている。１６はリング状に形成された抜け止め部材としてのワッシャーである。
【００２０】
全体を４０で示すものは連結部材であって、この連結部材４０は、保持部材４１とこの保持部材４１に図中矢印Ｅ−Ｆ方向に対して位置を変えて保持される調整部材４７と、この調整部材４７を保持部材４１に固定する固定子５０とによって構成されている。
【００２１】
保持部材４１は断面がコ字状で細長く形成され、図中矢印Ｅ−Ｆ方向に延在する保持部４２が設けられており、この保持部４２の図中上下板には、互いに対向する小形の窓４５が図中矢印Ｅ−Ｆ方向に８対穿設されている。また、この保持部４２の上板には、伸縮長さ表示部４６が直角に折り曲げ形成され、この伸縮長さ表示部４６には、前記窓４５に対応するように、連結部材４０の伸縮長さ（すなわち、２つのユニット２Ａ，２Ｂ間の設定温度の差）を表示する８個の数字「２．５」、「２」、「１．５」、「１」、「１」、「１．５」、「２」、「２．５」が表記されている。図中、中央から左側（Ｗの表示）が暖房用、中央から右側（Ｃの表示）が冷房用である。保持部材４１の一端には、リング状に形成された枢支部４３が設けられ、この枢支部４３の内径は、前記支持部７Ａの外径よりもわずかに大きく形成されている。
【００２２】
調整部材４７は断面がコ字状で図中矢印Ｅ−Ｆ方向に細長く形成され、図中上下板には、互いに対向する小形の切欠き４８が矢印Ｅ−Ｆ方向に８対設けられている。これら切欠き４８の矢印Ｅ−Ｆ方向の間隔および切欠き４８の外形寸法については後述する。調整部材４７の底面には、切欠き４８のそれぞれに対応する位置に目印５２が設けられている。また、この調整部材４７の一端には、リング状に形成された枢支部４９が設けられ、この枢支部４９の内径は、前記支持部７Ｂの外径よりもわずかに大きく形成されている。この調整部材４７は、保持部材４１の保持部４２内に収納されるように外形寸法に形成されている。
【００２３】
固定子５０はばね材によって断面がＶ字状に折り曲げ形成され、下端に互いに離間する方向に折り曲げ形成された一対の係合爪５１，５１が設けられ、これら係合爪５１は調整部材４７の切欠き４８に係入されるように形成されている。
【００２４】
このような構成において、調整部材４７を保持部材４１の保持部４２内に収納し、固定子５０の一対の係合爪５１，５１を互いに近接させるように弾性変形させながら、これら係合爪５１，５１を調整部材４７の切欠き４８，４８と保持部材４１の窓４５，４５に係入することにより、調整部材４７を保持部材４１に保持する。保持部材４１の枢支部４３を設定ダイアル５Ａの支持部７Ａに回動可能に嵌挿し、調整部材４７の枢支部４９を設定ダイアル５Ｂの支持部７Ｂに回動可能に嵌挿する。
【００２５】
抜け止め部材１３を設定ダイアル５Ａの支持部７Ａに嵌挿し、ワッシャー１６を設定ダイアル５Ｂの支持部７Ｂ上に載置する。ねじ１５，１５をねじ筒１２，１２のねじ部に螺合することにより、図１（ｂ）に示すように、保持部材４１の一端を設定ダイアル５Ａの支持部７Ａに枢着し、調整部材４７の一端を設定ダイアル５Ｂの支持部７Ｂに枢着する。このように、連結部材４０によって連結された設定ダイアル５Ａと設定ダイアル５Ｂにおいては、図１（ａ）に示すように、固定子５０が伸縮長さ表示部４６の数字「１」に対応している場合には、ダイヤル５Ａによる設定値とダイヤル５Ｂによる設定値との間に１℃だけの温度差が形成される。
【００２６】
ここで、固定子５０の一対の係合爪５１，５１を互いに近接するように固定子５０を弾性変形させ、係合爪５１，５１と保持部材４１の窓４５，４５との係入を解除し、調整部材４７を矢印Ｆ方向に移動させる。固定子５０を伸縮長さ表示部４６の数字「１．５」に対応させ、再び係合爪５１，５１を窓４５，４５に係入させることにより、調整部材４７を保持部材４１に保持する。
【００２７】
この状態では、ダイヤル５Ａによる設定値が２３℃のとき、ダイヤル５Ｂによる設定値は２１．５℃になり、ダイヤル５Ａによる設定値と、ダイヤル５Ｂによる設定値との間に１．５℃だけの温度差が形成されるように構成されている。すなわち、連結部材４０は図中矢印Ｅ−Ｆ方向に伸縮自在に構成され、ダイヤル５Ａによる設定値と、ダイヤル５Ｂによる設定値との間の温度差は連結部材４０の伸縮長さに対応している。
【００２８】
次に、図４および図５を用いて本発明に係る空気調和用の温度調節器によってゼロエナジーバンドの制御を行うための構成を説明する。
図４において、６０はエアハンドリングユニットと呼ばれる空気調和機であって、この空気調和機６０内には、冷却コイル６２と温水コイル６３と、冷却コイル６２によって冷水と熱交換された冷却空気や、温水コイル６３によって温水と熱交換された加熱空気を給気管６５内へ送風するファン６４とが収納されている。
【００２９】
給気管６５に送風された冷却空気や加熱空気は、吹き出し口６７から居室６６内に給気され、居室６６内を冷房または暖房する。居室６６内には、上述した本発明の空気調和用の温度調節器１が備え付けられており、居室６６内の温度を検出している。６８は居室６６内の空気を還気するための還気管であって、空気調和機６０に連通している。７０は冷却コイル弁、７１は加熱コイル弁であって、これら冷却コイル弁７０と加熱コイル弁７２は、バルブアクチュエータ７１，７３によって０〜１００％の開度になされる。
【００３０】
図５において、７８は設定値から室温が高くなるにしたがって開閉する冷却コイル弁７０の開度を示すグラフであって、同図に示すように、ゼロエナジーバンドの冷房設定温度から室温が高くなるにしたがって、この冷却コイル弁７０の開度が直線的に大きくなり、所定の温度で１００％の開度が得られる。７９は設定値から室温が低くなるにしたがって開閉する加熱コイル弁７２の開度を示すグラフであって、同図に示すように、ゼロエナジーバンドの暖房設定温度から室温が低くなるにしたがって、この加熱コイル弁７２の開度が直線的に大きくなり、所定の温度で１００％の開度が得られる。
【００３１】
７４は冷却コイル弁７０から冷却コイル６２に冷水を供給する往管、７５は加熱コイル弁７２から加熱コイル６３に温水を供給する往管である。７６は冷却コイル６２から冷水を戻す還り管、７７は加熱コイル６３から温水を戻す還り管である。
【００３２】
次に、このような構成の空気調和用の温度調節器による温度設定の方法を説明する。
図４において、主設定側ユニット２Ａを冷却コイル弁７０用のバルブアクチュエータ７１を制御する温度調節器とし、従設定側ユニット２Ｂを加熱コイル弁７２用のバルブアクチュエータ７３を制御する温度調節器とする。図１（ａ）に示すように、あらかじめ、伸縮長さ表示部４６の数字「１」に固定子５０を一致させ、主設定側ユニット２Ａの設定ダイアル５Ａを回動操作し、２３℃に設定する。このとき、設定ダイアル５Ａの支持部７Ａに保持部材４１の枢支部４３が枢着され、設定ダイアル５Ｂの支持部７Ｂに調整部材４７の枢支部４９が枢着されていることにより、これら保持部材４１と調整部材４７を介して、設定ダイアル５Ａの回転にしたがって設定ダイアル５Ｂが回転する。したがって、設定ダイアル５Ｂは設定ダイアル５Ａの設定値２３℃よりも１℃だけ低い２２℃に自動的に設定される。
【００３３】
このように設定することにより、室温が２３℃より高くなると、これに伴って図３に示すように、デュアルダイアフラム２０が膨張し、プランジャー２９によってスイッチ部３５が押し下げられるので、冷房出力端子３３がＯＮに切り替る。したがって、図５に示すように、冷却コイル弁７０が開き始めるので、冷却コイル弁７０から冷却コイル６２に冷水が供給される。冷却コイル６２において冷水と熱交換された冷却空気がファン６４によって給気管６５を送風されるので、冷却空気が吹き出し口６７から居室６６内に給気され、居室６６内の冷房が開始される。居室６６内の室温が２３℃まで低くなると、図５に示すように、冷却コイル弁７０の開度が０％になり冷房が停止する。このとき、加熱コイル弁７２を制御する従設定側ユニット２Ｂの設定値が２２℃になっているので、暖房が開始されるようなことはない。
【００３４】
一方、室温が２２℃より低くくなると、これに伴って図３に示すように、デュアルダイアフラム２０Ａが収縮し、プランジャー２９によるスイッチ部３５Ａが押し下げが解放されるので、暖房出力端子３４がＯＮに切り替る。図５に示すように、加熱コイル弁７２が開き始めるので、加熱コイル弁７２から加熱コイル６３に温水が供給される。加熱コイル６３において温水と熱交換された加熱空気がファン６４によって給気管６５を送風されるので、加熱空気が吹き出し口６７から居室６６内に給気され、居室６６内の暖房が開始される。居室６６内の室温が２２℃より高くなると、図５に示すように、加熱コイル弁７２の開度が０％になり暖房が停止する。このとき、冷却コイル弁７０を制御する主設定側ユニット２Ａの設定値が２３℃になっているので、冷房が開始されるようなことはない。
【００３５】
このように、冷房の設定温度２３℃と暖房の設定温度２２℃との間に１℃の温度差、すなわち、ゼロエナジーバンドが設けられていることにより、過冷または過熱によるエネルギーの浪費を防止できるだけでなく、快適な環境が提供される。このゼロエナジーバンドを設けるのに、主設定側ユニット２Ａの設定値を設定すると、自動的に従設定側ユニット２Ｂの設定値が設定されるので、設定操作が煩雑にならないだけでなく、従設定側ユニット２Ｂの設定し忘れによる不都合が防止される。しかも、連結部材４０を設けたことにより、主設定側ユニット２Ａの設定値と、従設定側ユニット２Ｂの設定値との差が常に一定に保持されることにより、ゼロエナジーバンドの幅にばらつきがなくなるので、確実にエネルギーの浪費を防止できる。また、保持部材４１に対して調整部材４７を移動させ、連結部材４０を伸縮させることにより、最適なゼロエナジーバンドの幅を選択することができる。
【００３６】
図６は本発明に係る空気調和用の温度調節器によって、暖房または冷房を２段階で行う装置段間制御を行う状態を説明するための構成図である。
同図において、パッケージ空気調和機６０内には、一段目の電気ヒータ８１および二段目の電気ヒータ８２と、一段目の冷却用コンプレッサ８３および二段目の冷却用コンプレッサ８４と、これらコンプレッサ８３，８４からの冷媒を熱交換する一段目の冷却コイル８５および二段目の冷却コイル８６とが設けられている。１Ａは冬用の温度調節器であって、主設定側ユニット２Ａが一段目の電気ヒータ８１を制御し、従設定側ユニット２Ｂが二段目のヒータ８２を制御するように接続されている。この冬用の温度調節器１Ａにおいては、主設定側ユニット２Ａと従設定側ユニット２Ｂによって設定された設定値に達すると、図３（ａ）に示す、両ユニット２Ａ，２Ｂのプランジャー２９によるスイッチ部３５の押し下げが解放され、暖房出力端子３４がＯＮに切り替るように構成されている。
【００３７】
１Ｂは夏用の温度調節器であって、主設定側ユニット２Ａが二段目の冷却用コンプレッサ８４を制御し、従設定側ユニット２Ｂが二段目の冷却用コンプレッサ８３を制御するように接続されている。この夏用の温度調節器１Ｂにおいては、主設定側ユニット２Ａと従設定側ユニット２Ｂによって設定された設定値に達すると、図３（ａ）に示す、両ユニット２Ａ，２Ｂのプランジャー２９によってスイッチ部３５が押し下げられ、冷房出力端子３３がＯＮに切り替るように構成されている。
【００３８】
次に、このような構成における空調の制御動作を説明する。
冬用の温度調節器１Ａの主設定側ユニット２Ａのダイヤル５Ａを、図１（ａ）に示すように、設定値２３℃に設定することにより、従設定側ユニット２Ｂの設定値が２２℃に設定される。このように設定することにより、室温が２３℃まで低くなると、主設定側ユニット２Ａの制御によって一段目のヒータ８１がＯＮになり暖房が開始される。この一段目のヒータ８１の暖房にもかかわらず、室温が下がり、２２℃まで低くなると、従設定側ユニット２Ｂの制御によって二段目のヒータ８２がＯＮになり暖房が開始されるので、室温が下がり過ぎることを防止できる。
【００３９】
一方、夏用の温度調節器１Ｂの主設定側ユニット２Ａの設定値を２５℃に設定することにより、従設定側ユニット２Ｂの設定値が２４℃に設定される。このように設定することにより、室温が２４℃まで高くなると、従設定側ユニット２Ｂの制御によって一段目の冷却コンプレッサ８３が作動し、冷媒が一段目の冷却コイル８５に供給されるので冷房が開始される。この一段目の冷却コイル８５の冷房にもかかわらず、室温が上がり、２５℃まで低くなると、主設定側ユニット２Ａの制御によって二段目の冷却コンプレッサ８４が作動し、冷媒が二段目の冷却コイル８６に供給されるので冷房が開始されるので、室温が上がり過ぎることを防止できる。
【００４０】
上述の２段の装置段間制御を行う場合の設定方法について説明する。図７（ａ）、（ｂ）はいずれも設定ダイアル５Ａ，５Ｂの連結機構の一部破断拡大図であり、固定子５０の図示を省略したものである。図７（ａ），（ｂ）において、保持部材４１の伸縮長さ表示部４６の数字に対応する複数対の窓４５はそれぞれ同一の開口寸法を有するとともに、それぞれ所定の等間隔で配置されている。また、調整部材４７の複数対の切り欠き４８は、それぞれが窓４５と同一の開口寸法を有すると共に、後述の不等間隔で配置されている。
【００４１】
図７（ａ）は暖房２段階制御において段間に摂氏１度の温度差を設定する状態を示す。保持部材４１の伸縮長さ表示部４６「１」に対応する窓４５に、調整部材４７の左端から４番目の切り欠き４８を対応させ、この切り欠き４８および窓４５に図示しない固定子５０の係合爪５１を挿入して、保持部材４１と調整部材４７とを固定する。このとき、図示しない固定子５０の頂点に設けられた孔を通して、調整部材４７の左端から４番目の切り欠き４８に対応する目印５２を目視確認することができるようになっている。この状態において、伸縮長さ表示部４６の「１．５」に対応する窓４５と調整部材４７の左端から３番目の切り欠き４８とは、長さｋだけズレを生じる。また、伸縮長さ表示部４６の「２」に対応する窓４５と調整部材４７の左端から２番目の切り欠き４８とは、長さｌだけズレを生じる。また、伸縮長さ表示部４６の「２．５」に対応する窓４５と調整部材４７の左端の切り欠き４８とは、長さｍだけズレを生じる。
【００４２】
図７（ｂ）は暖房２段階制御において段間に摂氏２．５度の温度差を設定する状態を示す。保持部材４１の伸縮長さ表示部４６「２．５」に対応する窓４５に、調整部材４７の左端の切り欠き４８を対応させ、この切り欠き４８および窓４５に図示しない固定子５０の係合爪５１を挿入して、保持部材４１と調整部材４７とを固定する。このとき、図示しない固定子５０の頂点に設けられた孔を通して、調整部材４７の左端の切り欠き４８に対応する目印５２を目視確認することができるようになっている。この状態において、伸縮長さ表示部４６の「２」に対応する窓４５と調整部材４７の左端から２番目の切り欠き４８とは、長さｋだけズレを生じる。また、伸縮長さ表示部４６の「１．５」に対応する窓４５と調整部材４７の左端から３番目の切り欠き４８とは、長さｌだけズレを生じる。また、伸縮長さ表示部４６の「１」に対応する窓４５と調整部材４７の左端から４番目の切り欠き４８とは、長さｍだけズレを生じる。
【００４３】
ここで、長さｋは設定ダイアル５Ａ，５Ｂに対し摂氏０．５度に相当する回転角度差を与える長さであり、長さｌは設定ダイアル５Ａ，５Ｂに対し摂氏１度に相当する回転角度差を与える長さであり、長さｍは設定ダイアル５Ａ，５Ｂに対し摂氏１．５度に相当する回転角度差を与える長さである。このように窓４５および切り欠き４８をそれぞれ複数対だけ設けたのは、長さｋ、ｌ、ｍが窓４５の開口寸法に対して小さいためである。すなわち、複数の窓４５を長さｋ、ｌ、ｍだけずらして隣接させようとしても、窓４５の開口寸法の範囲に収まってしまい、複数の窓４５を設けることができないからである。
【００４４】
また、図７では暖房設定側（「Ｗ」と表示）のみを示したが、図１（ａ）に示す通り、図７の保持部材４１の右側には、冷房設定側（「Ｃ」と表示）の温度表示数字およびそれに対応する窓が上記の所定の等間隔で、暖房設定側と左右対称形に設けられている。また、それに対応させて調整部材４７にも、左端から５〜８番目の切り欠き４８がそれぞれ上記の不等間隔で設けられている。すなわち、暖房と冷房とが逆の動作となるように設計されている。
【００４５】
なお、図７には、その長さｋが設定ダイアル５Ａ，５Ｂに対し摂氏０．５度に相当する回転角度差を与える長さであって、かつ窓４５の開口寸法よりも小さく設計されている実施例を示したが、勿論これに限るものではない。例えば、設定ダイアル５Ａ、５Ｂに対し所定の温度差を与える長さｋが、窓４５の開口寸法よりも大きくなるように設計されたものでは、保持部材４１に複数の窓４５を長さｋの等間隔で配置するとともに、調整部材４７には切り欠き４８を一対だけ設けてもよい。この場合、切り欠き４８を隣の窓４５へ長さｋだけ移動させる毎に、設定ダイアル５Ａ、５Ｂに長さｋに対応する所定の温度差が与えられる。
【００４６】
なお、ここでは図７を用いて２段の装置段間制御を行う場合を述べたが、ゼロエナジーバンド制御においても同様である。ゼロエナジーバンド制御においては上述の暖房設定側・冷房設定側の区別は不要であるから、例えば図７において保持部材４１に４対の窓４５を設けるとともに調整部材４７に４対の切り欠き４８を設けたもので対応することも可能である。
【００４７】
連結部材４０を伸縮固定させる手段としては、ねじ山の向きが互いに異なる２部材と、この２部材のねじ部に同時に螺合するナット部材とによって構成される、いわゆるターンバックルとしてもよく、種々の設計変更が可能である。また、主設定側ユニット２Ａと従設定側ユニット２Ｂとの２個のユニットとしたが、必要に応じて３個以上としてもよい。
【００４８】
【発明の効果】
以上説明したように、請求項１に係る発明によれば、最適なゼロエナジーバンドが確実に設定されるので、エネルギーの浪費を抑制できるだけでなく、快適な環境が提供される。
【００４９】
また、請求項２に係る発明によれば、ゼロエナジーバンドの幅を選択することができるので、最適なゼロエナジーバンドを設定することができる。
【図面の簡単な説明】
【図１】  同図（ａ）は本発明に係る空気調和用の温度調節器における設定ダイアル部の平面図、同図（ｂ）は一部を破断して示す正面図である。
【図２】  本発明に係る空気調和用の温度調節器の要部を分解して示す斜視図である。
【図３】  同図（ａ）は本発明に係る空気調和用の温度調節器におけるスイッチ部の概略を示す斜視図、同図（ｂ）は他のスイッチ手段の回路図である。
【図４】  本発明に係る空気調和用の温度調節器によってゼロエナジーバンドの制御を行う状態を説明するための構成図である。
【図５】  ゼロエナジーバンドを形成する設定値の両側の温度における弁の開度を示す図である。
【図６】  本発明に係る空気調和用の温度調節器によって、暖房または冷房を２段階で行う装置段間制御を行う状態を説明するための構成図である。
【図７】  同図（ａ）、（ｂ）はいずれも本発明に係る空気調和用の温度調節器において、設定ダイアル５Ａ，５Ｂの連結機構の一部破断拡大図であり、固定子５０の図示を省略したものである。
【符号の説明】
１，１Ａ，１Ｂ…空気調和用の温度調節器、２Ａ…主設定側ユニット、２Ｂ…従設定側ユニット、５Ａ，５Ｂ…設定ダイアル、７Ａ，７Ｂ…支持部、８Ａ，８Ｂ…指針線、９Ａ，９Ｂ…カム面、１０Ａ，１０Ｂ…目盛部、２０…デュアルダイアフラム、２２…押下部、２４…可動レバー、２５…接触子、２９…プランジャー、３１，３６…スイッチ手段、３３…冷房出力端子、３４…暖房出力端子、３７…比例出力端子、３８…反比例出力端子、３９…可変抵抗器、４０…連結部材、４１…保持部材、４３…枢支部、４５…窓、４６…伸縮長さ表示部、４７…調整部材、４８…切欠き、４９…枢支部、５０…固定子、５１…係合爪、６０…空気調和機、６２…冷却コイル、６３…温水コイル、６６…居室、７０…冷却コイル弁、７１…加熱コイル弁、８１…一段目の電気ヒータ、８２…二段目の電気ヒータ、８３…一段目の冷却用コンプレッサ、８４…二段目の冷却用コンプレッサ。
【図１】
0003846686.tif 000002
【図２】
0003846686.tif 000003
【図３】
0003846686.tif 000004
【図４】
0003846686.tif 000005
【図５】
0003846686.tif 000006
【図６】
0003846686.tif 000007
【図７】
0003846686.tif 000008